(57)【要約】【課題】体内に取り込まれる酸素量が吸入時間経過とともに減少しないようにした酸素富化装置を提供することを目的としている。【解決手段】酸素富化手段１と、酸素富化手段１からの酸素富化空気を使用者に供給するポンプ手段２と、酸素富化空気を一定の呼吸で吸引できる嗅覚刺激手段５とを備えているものである。これによって、嗅覚刺激手段５による嗅覚刺激で呼吸を常に一定にするので、体内に取り込まれる酸素量が吸入時間経過とともに減少せず、血液中の酸素分圧を常に一定の高い状態に維持することができる。【選択図】図１
2007229211.tif 000002
【特許請求の範囲】
【請求項１】
酸素富化手段と、酸素富化手段からの酸素富化空気を使用者に供給するポンプ手段と、酸素富化空気の供給時における呼吸のタイミングを使用者に知らせる嗅覚刺激手段とを備えた酸素富化装置。
【請求項２】
嗅覚刺激手段は、呼吸のタイミングを香りで報知する請求項１に記載の酸素富化装置。
【請求項３】
嗅覚刺激手段は、呼吸のタイミングを香りの有無で報知する請求項１または２に記載の酸素富化装置。
【請求項４】
嗅覚刺激手段は、呼吸のタイミングを香りの濃度で報知する請求項１または２に記載の酸素富化装置。
【請求項５】
嗅覚刺激手段は、呼吸のタイミングを香りの違いで報知する請求項１または２に記載の酸素富化装置。
【発明の詳細な説明】
【技術分野】
【０００１】
本発明は、酸素富化空気を使用者に供給する酸素富化装置に関するものである。
【背景技術】
【０００２】
従来、この種の酸素富化装置は、医療機器ならば酸素濃度が９０％以上（流量：２〜６Ｌ／ｍｉｎ）で、家庭用酸素富化装置ならば、酸素濃度がほぼ３０％（流量：２〜３Ｌ／ｍｉｎ）で濃度を一定にして供給するものである（例えば、非特許文献１参照）。
【非特許文献１】谷本晋一著「在宅酸素療法」、克誠堂出版、１９９７年７月、ｐ５９−７５
【発明の開示】
【発明が解決しようとする課題】
【０００３】
しかしながら、前記従来の構成では、一定の高濃度酸素の空気が供給されるが、この空気を吸入している間に呼吸中枢によって呼吸数が時間と共に減少する。それは、体内に取り込まれた酸素量の変化を頚動脈体が検知し、呼吸中枢を介して、常に血中の酸素富化分圧を一定にするように働くからである。そのために、体内に取り込まれる酸素量は、吸入時間の経過とともに、大気レベルの空気を吸入する場合と変わらなくなる。その結果、高濃度酸素を吸入する本来の目的が、吸入時間とともに損なわれることになる。
【０００４】
本発明は、前記従来の課題を解決するもので、体内に取り込まれる酸素量が吸入時間経過とともに減少しないようにした酸素富化装置を提供することを目的としている。
【課題を解決するための手段】
【０００５】
前記従来の課題を解決するために、本発明の酸素富化装置は、供給する酸素富化空気を常に意識して一定の呼吸数で吸引できるように嗅覚刺激手段を備えているものである。
【０００６】
これによって、嗅覚刺激手段による嗅覚刺激で呼吸を常に一定にするので、体内に取り込まれる酸素量が吸入時間経過とともに減少せず、血液中の酸素分圧を常に一定の高い状態に維持することができる。
【発明の効果】
【０００７】
本発明の酸素富化装置は、嗅覚刺激により、体内に取り込まれる酸素量が吸入時間経過とともに減少せず、血液中の酸素分圧を常に一定の高い状態に維持することができる。
【発明を実施するための最良の形態】
【０００８】
第１の発明は、酸素富化手段と、酸素富化手段からの酸素富化空気を使用者に供給するポンプ手段と、酸素富化空気の供給時における呼吸のタイミングを使用者に知らせる嗅覚刺激手段とを備えた酸素富化装置とすることにより、嗅覚刺激手段による嗅覚刺激で呼吸を常に一定にするので、体内に取り込まれる酸素量が吸入時間経過とともに減少せず、血液中の酸素分圧を常に一定の高い状態に維持することができる。
【０００９】
第２の発明は、特に、第１の発明において、嗅覚刺激手段は、呼吸のタイミングを香りで報知するようにしたことにより、視覚などによる報知よりも負担なく、呼吸のタイミングが認識しやすく、無理なく呼吸を一定に維持することができる。加えて、香りを選択することによって、香りに応じたアロマ効果が期待できる。
【００１０】
第３の発明は、特に、第１または第２の発明において、嗅覚刺激手段は、呼吸のタイミングを香りの有無で報知するようにしたことにより、嗅覚疲労を抑制することができるので、呼吸数のタイミングをより認識しやすくなり、容易にタイミングをとることができる。
【００１１】
第４の発明は、特に、第１または第２の発明において、嗅覚刺激手段は、呼吸のタイミングを香りの濃度で報知することにより、呼吸数のタイミングがより認識しやすくなり、容易にタイミングをとることができる。
【００１２】
第５の発明は、特に、第１または第２の発明において、呼吸のタイミングを香りの違いで報知することにより、呼吸数のタイミングがより認識しやすくなり、容易にタイミングをとることができる。加えて、香りを選択することによって、香りに応じたアロマ効果が期待できる。
【００１３】
以下、本発明の実施の形態について、図面を参照しながら説明する。なお、この実施の形態によって本発明が限定されるものではない。
【００１４】
（実施の形態）
図１は、本発明の実施の形態における酸素富化装置を示すものである。
【００１５】
図に示すように、酸素富化手段１は酸素の透過性に優れたシリコン系の膜からなる。真空ポンプなどのポンプ手段２の吸込口は酸素富化手段１に接続管３を介して接合している。吹出手段４は接続管３と連結しており、ポンプ手段２の動作により使用者の呼吸域近傍に酸素富化空気を供給する。
【００１６】
また、酸素富化空気の供給時における呼吸のタイミングを使用者に知らせる嗅覚刺激手段５を備えている。この嗅覚刺激手段５は、酸素富化空気を供給する時に呼吸のタイミングを嗅覚刺激により使用者に知らせるようにしている。すなわち、嗅覚刺激手段５は嗅覚刺激物質を有するとともに、小型のポンプ手段６と開閉弁７と配管８とを備え、配管８は吹出管４に接続している。
【００１７】
この嗅覚刺激手段５は、呼吸のタイミングを使用者に知らせるために、「香り」「香りの有無」「香りの濃度」あるいは「香りの違い（種類）」で報知するようにしている。
【００１８】
また、制御回路９は、ポンプ手段２と嗅覚刺激手段５を制御するものである。
【００１９】
以上のように構成された酸素富化装置について、以下その動作、作用を説明する。
【００２０】
まず、運転が開始されると、制御回路９は、ポンプ手段２を動作させることによって、酸素富化手段１内を減圧させる。その結果、酸素富化手段１からは酸素が富化された空気が接続管３を介して吹出手段４から３０〜４０％程度の酸素濃度の空気が供給される。この時、制御回路９は、嗅覚刺激手段５のポンプ手段６と開閉弁７を作動させることによって、例えば、吹出手段４に香りを供給する。この香り刺激があるときは吸気する。一定時間が経過すると、制御回路９はポンプ手段６と開閉弁７を停止させる。この結果、吹出手段４から香り刺激がなくなると呼気する。酸素富化装置が運転している間、この動作を繰り返す。運転の途中で報知を停止させることもできる。また、呼気時間および吸気時間を任意に設定することができる。加えて、香りを選択することによって、香りに応じたアロマ効果が期待できる。
【００２１】
この呼吸のタイミング報知により、高濃度酸素を吸入することによって、常に一定の呼吸数（通常、無意識下の呼吸は呼吸中枢が統御している。例えば、高濃度酸素を吸入すると、血中の酸素分圧が上昇するので、呼吸中枢は血中の酸素分圧を元に戻そうと働く。そのため、数分後に呼吸数は減少し始める）になるので、血中の酸素分圧を、通常空気を吸入した場合に比べて、常時高く維持できる。なお、嗅覚刺激は、香りの有無、香りの濃度あるいは香りの違いを変えることでも同じ効果がある。
【００２２】
また、酸素富化手段１をゼオライトからなる吸着体や固体電解質などにすることによって、特に、酸素濃度が高濃度になり、より効果的に酸素を体内に取り込むことができる。
【産業上の利用可能性】
【００２３】
以上のように、本発明にかかる酸素富化装置は、体内に取り込まれる酸素量が吸入時間経過とともに減少せず、血液中の酸素分圧を常に一定の高い状態に維持することができるので、医療機器として、また、家庭用酸素富化装置として適用することができる。
【図面の簡単な説明】
【００２４】
【図１】本発明の実施の形態における酸素富化装置の構成図
【符号の説明】
【００２５】
１  酸素富化手段
２  ポンプ手段
４  吹出手段
５  嗅覚刺激手段
９  制御回路
【図１】
2007229211.tif 000003